(57)【特許請求の範囲】
【請求項１】
人の体領域をマッサージするため、
マッサージ中に人の体領域の皮膚に配置しかつ所定の動作方向に皮膚に沿って移動することができるようにしたマッサージ装置であって、
吸引空間を包囲し、また動作方向にほぼ直交する２個のチャンバ壁と、動作方向にほぼ平行でありかつ動作方向に直交する２個のチャンバ壁に連結した２個のチャンバ壁とにより構成した吸引チャンバを具え、マッサージ装置を皮膚上に配置するとき前記吸引チャンバの体領域の皮膚に対面する領域を開放するようにし、また
空気搬送ダクトをを介して吸引チャンバに連通して空気を流動させるポンプを具え、マッサージ装置を体領域の皮膚上に配置するとき、このポンプによって吸引チャンバ内に引き込まれる皮膚たるみを形成するよう吸引チャンバ内に部分的な真空を発生することができるようにし、また
周面で体領域の皮膚上に配置することができ、かつ動作方向に直交するローラ軸線の周りに回転可能であって、ドライブ伝達機構を介してモータによって同一方向に駆動することができるようにした２個のローラであって、この２個のローラの周面のうち、マッサージ装置を皮膚上に配置するとき体領域の皮膚に対面する周方向領域の速度ベクトルが、動作方向とは逆方向に指向するようにし、動作方向に見て前方のローラを吸引チャンバ内に配置し、また動作方向に見て後方のローラを吸引チャンバの外側に配置した２個のローラを具えた
マッサージ装置において、
動作方向に見て前方のローラの周面を、動作方向に見て後方のローラの材料の摩擦値よりも高い摩擦値を示す材料によって構成した
ことを特徴とするマッサージ装置。
【請求項２】
動作方向に関して見て前方に位置するローラの周面を、ショアＡ硬さが４０〜９５の範囲の硬さを有する比較的柔らかい材料により構成し、
動作方向に関して見て後方に位置するローラの周面を、ＩＳＯ２０３９の規定による３５８Ｎの試験荷重及び３０秒の試験時間で測定して５０Ｎ／ｍｍ2  〜１８０Ｎ／ｍｍ2  の範囲の押込み硬さを有する比較的硬い材料により構成した請求項１記載のマッサージ装置。
【請求項３】
動作方向に関して見て前方に位置するローラの周面に多数のスタッドを設け、
動作方向に関して見て後方に位置するローラの周面を平滑な形状にした請求項１記載のマッサージ装置。
【発明の詳細な説明】
【０００１】
本発明は、人の体領域をマッサージするため、
マッサージ中に人の体領域の皮膚に配置しかつ所定の動作方向に皮膚に沿って移動することができるようにしたマッサージ装置であって、
吸引空間を包囲し、また動作方向にほぼ直交する２個のチャンバ壁と、動作方向にほぼ平行でありかつ動作方向に直交する２個のチャンバ壁に連結した２個のチャンバ壁とにより構成した吸引チャンバを具え、マッサージ装置を皮膚上に配置するとき前記吸引チャンバの体領域の皮膚に対面する領域を開放するようにし、また
空気搬送ダクトをを介して吸引チャンバに連通して空気を流動させるポンプを具え、マッサージ装置を体領域の皮膚上に配置するとき、このポンプによって吸引チャンバ内に引き込まれる皮膚たるみを形成するよう吸引チャンバ内に部分的な真空を発生することができるようにし、また
周面で体領域の皮膚上に配置することができ、かつ動作方向に直交するローラ軸線の周りに回転可能であって、ドライブ伝達機構を介してモータによって同一方向に駆動することができるようにした２個のローラであって、この２個のローラの周面のうち、マッサージ装置を皮膚上に配置するとき体領域の皮膚に対面する周方向領域の速度ベクトルが、動作方向とは逆方向に指向するようにし、動作方向に見て前方のローラを吸引チャンバ内に配置し、また動作方向に見て後方のローラを吸引チャンバの外側に配置した２個のローラを具えた
マッサージ装置に関するものである。
【０００２】
上述のタイプのマッサージ装置は例えば、特許文献である国際特許公開第ＷＯ９８／０２１２４号公報（Ａ１）に記載されており、特にこの公報の図９及びこの図面に対応の説明部分を参照されたい。この特許文献国際特許公開第ＷＯ９８／０２１２４号公報（Ａ１）の図９に開示されているマッサージ装置に関連しては２個のローラ及び２個のローラの周面の構造については言及していない。しかし、この特許文献国際特許公開第ＷＯ９８／０２１２４号公報（Ａ１）は、更に、２個のローラを吸引チャンバの外側に配置した他のマッサージ装置について記載している。このマッサージ装置に関して例えば、特許文献国際特許公開第ＷＯ９８／０２１２４号公報（Ａ１）の図３及びこの図に対応する説明部分において、動作方向に見て前方のローラを全体的に比較的硬い材料で形成し、動作方向に見て後方のローラの内部を比較的硬い材料で形成しかつ周縁部分を比較的柔らかい材料で形成し、従って、この後方ローラの周面を比較的柔らかい材料で形成することを記載している。この構成は、２個のローラを吸引チャンバの外側に配置するマッサージに関しては有利で満足のいく動作が得られることが分かっている。しかし、本件出願人が行った試験によれば、特許文献国際特許公開第ＷＯ９８／０２１２４号公報（Ａ１）の図３に記載のマッサージ装置に使用されるこのようなローラ構造は、この特許文献の図９に示されているマッサージ装置即ち、動作方向に見て前方のローラが吸引チャンバの内側に配置され、動作方向に見て後方のローラが吸引チャンバの外側に配置されているマッサージ装置には特に好ましいものではなく、有利でもないことが分かった。
【０００３】
本発明の目的は、動作方向に見て前方のローラが吸引チャンバの内側に配置され、動作方向に見て後方のローラが吸引チャンバの外側に配置されている上述のタイプマッサージ装置における満足のいくローラ構造を得るにあり、また特許文献国際特許公開第ＷＯ９８／０２１２４号公報（Ａ１）によるマッサージ装置に比べて改良したマッサージ装置を得るにある。この目的を達成するため、上述のタイプの本発明マッサージ装置は、動作方向に見て前方のローラの周面を、動作方向に見て後方のローラの材料の摩擦値よりも高い摩擦値を示す材料によって構成したことを特徴とする。
【０００４】
本発明による対策をとることによって、人の体領域の皮膚上でのマッサージ装置の移動が適正で満足のいくものにすること、更に、皮膚たるみの形成を満足のいくかつ適正なものにし、従って、マッサージ作用を良好にすることが、極めて簡単に得られ、即ち、２個のローラの周面の材料の組み合わせを適正に選択することによって得られ、このことは、体領域の皮膚上でのマッサージ装置の移動が、動作方向に見て前方の周面が比較的柔らかい材料によって形成されているローラによって有効に促進され、また主に吸引作用による皮膚たるみの形成が、動作方向に見て前方の周面が比較的柔らかい材料で形成されている前方のローラによって促進されるためである。
【０００５】
本発明によるマッサージ装置においては、動作方向に関して見て前方に位置するローラの周面を、ショアＡ硬さが４０〜９５の範囲の硬さを有する比較的柔らかい材料により構成し、動作方向に関して見て後方に位置するローラの周面を、ＩＳＯ２０３９の規定による３５８Ｎの試験荷重及び３０秒の試験時間で測定して５０Ｎ／ｍｍ2  〜１８０Ｎ／ｍｍ2  の範囲の押込み硬さを有する比較的硬い材料により構成すると特に有利であることを見出した。試験によれば、動作方向に見て前方のローラの周面をショアＡ硬さが約８５の硬さを有する材料で、動作方向に見て後方のローラの周面をＩＳＯ２０３９の規定による押込み硬さが約１４４Ｎ／ｍｍ2  を有する材料で形成すると極めて好適であることを見出した。
【０００６】
本発明によるマッサージ装置においては、動作方向に関して見て前方に位置するローラの周面に多数のスタッドを設け、動作方向に関して見て後方に位置するローラの周面を平滑な形状にする。前方ローラの周面の領域のスタッド（突起）により、体領域の皮膚上でのマッサージ装置の移動を効率よく促進するとともに、スタッドが付加的なマッサージ効果を発揮し、この結果、マッサージ装置の有効性が一層向上する。
【０００７】
本発明の上述の並びに他の特徴を以下に添付図面の実施例につき説明する。
【０００８】
本発明を以下に添付図面につき一つの実施例につき説明するが、本発明はこの実施例に限定されるものではない。
【０００９】
図１〜図３には人の体領域をマッサージするマッサージ装置１を示す。マッサージ中は図３に線図的に示すように、マッサージ装置１を人の体領域に配置することができる。このようなマッサージ中、マッサージ装置は皮膚２に沿って所定の動作方向に移動可能にし、この動作方向を図１〜図３に矢印４で示す。このマッサージ装置１の設計及び構造に関しては冒頭で述べた国際特許公開第ＷＯ９８／０２１２４号公報（Ａ１）を参照されたい。この文献は参考のために本明細書に掲げた。この特許文献である国際特許公開第ＷＯ９８／０２１２４号公報に記載の既知のマッサージ装置の詳細な説明を考慮して、この既知のマッサージ装置とは異なる設計及び構造部分及び文脈上関連する部分を詳細に説明する。
【００１０】
マッサージ装置１は、上側壁６と、４個の側壁即ち、前壁７、後壁８、左側壁９及び右側壁１０とよりなるハウジング５を有する。ハウジング５に上側壁６に対向する側に底壁１１を設ける。
【００１１】
マッサージ装置１は吸引空間を包囲する吸引チャンバ１２を有し、この吸引チャンバ１２は動作方向４にほぼ直交する方向に延在する２個のチャンバ壁１３，１４と、更に、動作方向４にほぼ平行でありかつ動作方向４に直交する２個のチャンバ壁１３，１４に連結した２個のチャンバ壁１５，１６とを有する。マッサージ装置１の底壁１１を皮膚２上に配置するとき、吸引チャンバ１２は体領域３の皮膚２に対向する位置で即ち底壁１１の位置で開放する。開放サイドとは反対側では吸引チャンバ１２を上側チャンバ壁１７によって閉鎖する。この上側チャンバ壁１７には、図を分かり易くするため図３には示さない空気搬送ダクトを介してポンプ１９に接続した通路１８を有し、従って、このポンプ１９は吸引チャンバ１２に連通し、図示しない空気搬送ダクトを経て空気を流動させることができるようにする。
【００１２】
マッサージ装置の底壁１１を体領域３の皮膚２上に配置したとき、ポンプ１９により吸引チャンバ１２内に部分的な真空を発生し、図３に示すように、吸引チャンバ内に皮膚たるみ２０を引き込む。このような皮膚たるみ２０を吸引チャンバ１２の吸引空間内に引き込んだ後、皮膚たるみ２０とチャンバ壁１４との間に相対移動が可能となる。このような相対移動は、マッサージ装置１を体領域３の皮膚２上で動作方向４に移動させるとき生ずる。体領域３の皮膚２上でのマッサージ装置１のこのような移動中、生じた皮膚たるみ２０は動作方向４に一層移動し、これによりマッサージ効果を生ずる。
【００１３】
底壁１１の領域でマッサージ装置１には、更に、２個のローラ２１，２２を設け、各ローラは動作方向４に直交する方向に延在する対応のローラ軸線２３，２４の周りに回転自在とし、かつそれぞれの周面２５，２６で体領域３の皮膚２上に配置することができる。２個のローラ２１，２２のうち動作方向４に関して見て前方のローラ２１を吸引チャンバ１２の内部に配置し、動作方向４に関して見て後方のローラ２２を、特に図３から明らかなように、吸引チャンバ１２の外側に配置する。
【００１４】
マッサージ装置１において、２個のローラ２１，２２をモータ２８によって駆動し、このモータ２８は２個のローラ２１，２２をドライブ伝達機構２８を介して駆動する。このドライブ伝達機構２８のうち一方の中間ギヤホイール２９のみが図３で見えている。２個のローラ２１，２２を、図３にローラ２２に関して矢印３０で示すように、同一の回転方向に駆動することができる。２個のローラ２１，２２の同一の回転方向３０は、体領域３の皮膚２に配置したマッサージ装置１が皮膚２に対面する２個のローラ２１，２２の周面２５，２６の周方向領域の速度ベクトルが動作方向４とは反対方向に指向するように規定する。２個のローラ２１，２２のこの回転方向によってマッサージ装置１は、体領域３の皮膚２との連係して２個のローラ２１，２２によって動作方向４に駆動される。
【００１５】
マッサージ装置１において、２個のローラ２１，２２によってマッサージ装置１の最適な駆動を保証するために、動作方向４の方向に関して見て前方のローラ２１をショアＡ硬さが４０〜９５の範囲の硬さの比較的柔らかい材料により構成し、実際上はショアＡ硬さを８５とすると極めて好適であることが分かった。更に、マッサージ装置１において、動作方向４の方向に関して見て後方のローラ２２の周面２６を、ＩＳＯ２０３９の規定による試験荷重３５８Ｎ及び試験時間３０秒で測定したとき５０Ｎ／ｍｍ2  〜１８０Ｎ／ｍｍ2  の範囲の押込み硬さを有する比較的硬い材料により構成し、実際上は１４４Ｎ／ｍｍ2  の値が極めて好適であることが分かった。
【００１６】
更に、マッサージ装置１において、動作方向４に関して見て前方のローラ２１を僅かに凹面形状にし、特に図２から明らかなように多数のスタッド３１を設ける。更に、マッサージ装置１において、動作方向４に関して見て後方のローラ２２の周面２６は平滑な形状にする。
【００１７】
上述の２個のローラの周面２５，２６の構成は、マッサージ装置１の駆動を、体領域３の皮膚２上を移動しかつ皮膚たるみ２０を形成を有利に促進することをうまく行う。
【００１８】
更に、マッサージ装置１において皮膚たるみ２０を形成するのを効率よく促進するため、動作方向４の方向に関して見て前方のローラ２１を、動作方向４の方向に関して見て後方のローラ２２よりも僅かに速いそれぞれで駆動し、この結果、前方ローラ２１に対して後方ローラ２２は体領域３の皮膚２に対して僅かに制動作用を発揮し、このことは皮膚たるみ２０を形成するのに有効である。
【００１９】
上述したように、マッサージ中には皮膚たるみ２０の皮膚と、少なくとも１個のチャンバ壁との間に相対移動を生じ、図示の実施例のマッサージ装置では特にチャンバ壁１４及び２個のチャンバ壁１５，１６との間に相対移動を生ずる。従って、マッサージ装置１においては、少なくとも１個のチャンバ壁に少なくとも１個のシリンダを設けると極めて有利であることが分かっており、図示の実施例では少なくとも動作方向４に直交しかつ動作方向４に関して見て後方のチャンバ壁１４の領域で皮膚たるみ２０とチャンバ壁１４との間に相対移動を生じ、この領域に少なくとも１個のシリンダを設けると極めて有利であることが分かった。マッサージ装置１において、前後に縦列配置した２個のシリンダをチャンバ壁１４に設け、これらのシリンダを動作方向４に直交する方向に延在する各シリンダ軸線３４，３５の周りに回転自在にし、これら２個のシリンダ軸線３４，３５を２個のローラ２１，２２のローラ軸線２３，２４に平行にする。
【００２０】
図３に明示するように、チャンバ壁１４に対して移動自在の少なくとも１個の装置部分の位置決め即ち、シリンダ３２，３３の位置決めは、マッサージ装置１が体領域３の皮膚２上を移動して皮膚たるみが吸引チャンバ１２内に引き込まれるとき、この少なくとも１個の装置部分即ち、２個のシリンダ３２，３３が皮膚たるみ２０の皮膚によってチャンバ壁１４に対して移動することができるように選択する。図示の実施例では、マッサージ中に２個のシリンダ３２，３３を皮膚たるみ２０の皮膚によって矢印３０で示す方向に回転駆動されるようにする。皮膚たるみの皮膚による２個のシリンダ３２，３３のこの回転駆動が効率よく得られるようにするため、マッサージ装置１内の２個のシリンダ３２，３３の周面をそれぞれ、吸引チャンバ１２によって区切られる吸引空間に対向するチャンバ壁１４の境界面３６を越えて吸引空間に突入させる。
２個のシリンダ３２，３３を収容するため、マッサージ装置１にはチャンバ壁１４の領域に窪み３７を設け、この窪み３７は吸引チャンバ１２よって包囲される吸引空間に向かって開放し、残りの部分はチャンバ壁１４に連結した窪み壁３８，３９，４０及び４１によって区切る。２個のシリンダ３２，３３の大部分はこの窪み内に配置される。
【００２１】
マッサージ中に形成される皮膚たるみ２０の皮膚によって回転駆動される２個のシリンダ３２，３３を設けることによって、チャンバ壁１４の小さい領域と、このとき形成される皮膚たるみ２０との間に摺動摩擦を生じるとともに、残りの領域に２個のシリンダ３２，３３が存在することによって、２個のシリンダ３２，３３と生ずる皮膚たるみ２０との間に転動摩擦を生じ、皮膚たるみ２０の皮膚と装置部分と、皮膚たるみ２０の皮膚に連係する装置領域との間の合成摩擦力はシリンダがないマッサージ装置よりも格段に小さくすることが確実に得られる。この結果、図１〜図３に示すマッサージ装置１は人の体領域３の皮膚２に沿って円滑に移動することができる。
【図面の簡単な説明】
【図１】  本発明によるマッサージ装置の上方から見た斜視図である。
【図２】  図１のマッサージ装置の底面図である。
【図３】  図１及び図２のマッサージ装置のマッサージ中に生ずる皮膚たるみを線図的に示す断面図である。
【図１】
0003998912.tif 000002
【図２】
0003998912.tif 000003
【図３】
0003998912.tif 000004